【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
複数の端末と、該端末からの発信を受け付けるサービス提供設備とにネットワークを介して接続され、全端末からの全発信接続数を推定する推定サーバであって、
全端末数に対する所定の割合値を含む制御情報を、全端末へ送信する制御情報送信手段と、
測定対象となった全ての前記端末からの部分発信接続数を測定する部分発信接続数測定手段と、
前記部分発信接続数及び前記割合値に基づいて、全発信接続数を算出する全発信接続数推定手段と
を有することを特徴とする推定サーバ。
【請求項２】
請求項１に記載の推定サーバにネットワークを介して接続された端末であって、
前記制御情報を受信し、前記割合値を取得する制御情報取得手段と、
前記割合値と当該端末の固有値とを比較し、測定対象か否かを決定する測定対象決定手段と、
前記測定対象と決定された場合に、発信動作を発生した際に、前記推定サーバを介して前記サービス提供設備へ発信する通信インタフェース手段と
を有することを特徴とする端末。
【請求項３】
乱数値を発生させる乱数発生手段を更に有し、
前記固有値は、前記乱数値であって、
前記測定対象決定手段は、前記固有値が前記割合値以下又は以上である場合、測定対象であると決定することを特徴とする請求項２に記載の端末。
【請求項４】
前記固有値は、前記端末に固有の識別情報値であって、
前記測定対象決定手段は、前記固有値における所定範囲の値と、前記割合値とが一致する場合、測定対象であると決定することを特徴とする請求項２に記載の端末。
【請求項５】
複数の端末と、該端末によってアクセスされるサービス提供設備とにネットワークを介して接続され、全端末からの全発信接続数を推定する推定サーバであって、
全端末数に対する所定の割合値の数の端末を選択し、選択された複数の端末へ、測定対象である旨の制御情報を送信する制御情報送信手段と、
前記測定対象となった全ての前記端末からの部分発信接続数を測定する部分発信接続数測定手段と、
前記部分発信接続数及び前記割合値に基づいて、全発信接続数を算出する全発信接続数推定手段と
を有することを特徴とする推定サーバ。
【請求項６】
請求項５に記載の推定サーバとネットワークを介して接続された端末であって、
前記制御情報を受信する制御情報取得手段と、
前記制御情報によって前記測定対象か否かを把握する測定対象決定手段と、
前記測定対象である場合に、発信動作を発生した際に、前記推定サーバを介して前記サービス提供設備へ発信する通信インタフェース手段と
を有することを特徴とする端末。
【請求項７】
発信規制及び／又は遅延制御に基づく発信制御機能を有しており、
前記測定対象である場合、前記通信インタフェース手段は、発信制御機能を無効として機能することを特徴とする請求項２、３、４又は６に記載の端末。
【請求項８】
前記全発信接続数推定手段は、前記部分発信接続数を前記割合値で除算することにより、前記全発信接続数を算出することを特徴とする請求項１又は５に記載の推定サーバ。
【請求項９】
請求項１、５又は８に記載の推定サーバとネットワークを介して接続され、請求項２、３、４、６又は７に記載の端末へ放送データを放送する放送局サーバであって、
前記推定サーバから前記制御情報を受信し、該制御情報を放送データに付加する制御情報付加手段と、
前記放送データを前記端末へ放送する放送データ送信手段と
を有することを特徴とする放送局サーバ。
【請求項１０】
複数の端末と、該端末からの発信を受け付けるサービス提供設備とにネットワークを介して接続され、全端末からの全発信接続数を推定する推定サーバに搭載されたコンピュータを機能させるプログラムであって、
全端末数に対する所定の割合値を含む制御情報を、全端末へ送信する制御情報送信手段と、
測定対象となった全ての前記端末からの部分発信接続数を測定する部分発信接続数測定手段と、
前記部分発信接続数及び前記割合値に基づいて、全発信接続数を算出する全発信接続数推定手段と
を有することを特徴とする推定サーバ用のプログラム。
【請求項１１】
請求項１に記載の推定サーバとネットワークを介して接続された端末に搭載されたコンピュータを機能させるプログラムであって、
前記制御情報を受信し、前記割合値を取得する制御情報取得手段と、
前記割合値と当該端末の固有値とを比較し、測定対象か否かを決定する測定対象決定手段と、
前記測定対象と決定された場合に、発信動作を発生した際に、前記推定サーバを介して前記サービス提供設備へ発信する通信インタフェース手段と
を有することを特徴とする端末用のプログラム。
【請求項１２】
複数の端末と、該端末によってアクセスされるサービス提供設備とにネットワークを介して接続され、全端末からの全発信接続数を推定する推定サーバに搭載されたコンピュータを機能させるプログラムであって、
全端末数に対する所定の割合値の数の端末を選択し、選択された複数の端末へ、測定対象である旨の制御情報を送信する制御情報送信手段と、
前記測定対象となった全ての前記端末からの部分発信接続数を測定する部分発信接続数測定手段と、
前記部分発信接続数及び前記割合値に基づいて、全発信接続数を算出する全発信接続数推定手段と
を有することを特徴とする推定サーバ用のプログラム。
【請求項１３】
請求項５に記載の推定サーバとネットワークを介して接続された端末に搭載されたコンピュータを機能させるプログラムであって、
前記制御情報を受信する制御情報取得手段と、
前記制御情報によって前記測定対象か否かを把握する測定対象決定手段と、
前記測定対象である場合に、発信動作を発生した際に、前記推定サーバを介して前記サービス提供設備へ発信する通信インタフェース手段と
を有することを特徴とする端末用のプログラム。
【手続補正２】
【補正対象書類名】明細書
【補正対象項目名】発明の名称
【補正方法】変更
【補正の内容】
【発明の名称】全端末からの全発信接続数推定サーバ、端末、放送局サーバ及びプログラム
【手続補正３】
【補正対象書類名】明細書
【補正対象項目名】００１２
【補正方法】変更
【補正の内容】
【００１２】
そこで、本発明は、発信制御機能を有する端末に対して、ある時点で現実に発生した全発信接続数を推定することができる全発信接続数推定サーバ、端末、放送局サーバ及びプログラムを提供することを目的とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００３３
【補正方法】変更
【補正の内容】
【００３３】
本発明の全発信接続数推定サーバ、端末、放送局サーバ及びプログラムによれば、発信制御機能を有する端末に対して、ある時点で現実に発生した全発信接続数を推定することができる。
【手続補正１２】
【補正対象書類名】明細書
【補正対象項目名】００７３
【補正方法】変更
【補正の内容】
【００７３】
以上、詳細に説明したように、本発明の全発信接続数推定サーバ、端末、放送局サーバ及びプログラムによれば、発信制御機能を有する端末について、一部の端末のみ「発信制御無効」とすることによって、ある時点で現実に発生した全発信接続数を推定することができる。